(57)【特許請求の範囲】
【請求項１】
略水平方向に回転軸を有する回転ドラムと、この回転ドラムを外包した外槽と、洗濯時および脱水時に前記回転ドラムを回転させる駆動モータと、前記外槽を主体とする揺動体を揺動可能に収容したボデーと、このボデーの底部に固着した略逆凹状をなす固定脚と、この固定脚に下方より嵌着し前記固定脚の天面部および胴部の各内側面で天部および胴部の外周面を保持した脚ゴムとを備え、前記脚ゴムは、低硬度低反発ゴム部材が略筒状の高硬度ゴム部材の底部および胴部の外周面を外包するように一体に形成したドラム式洗濯機。
【請求項２】
固定脚の胴部内側面には、脚ゴムの低硬度低反発ゴム部材と高硬度ゴム部材のいずれもが接した請求項１記載のドラム式洗濯機。
【請求項３】
略水平方向に回転軸を有する回転ドラムと、この回転ドラムを外包した外槽と、洗濯時および脱水時に前記回転ドラムを回転させる駆動モータと、前記外槽を主体とする揺動体を揺動可能に収容したボデーと、このボデーの底部に固着した略逆凹状をなす固定脚と、この固定脚に下方より嵌着し前記固定脚の天面部および胴部の各内側面で天部および胴部の外周面を保持した脚ゴムとを備え、前記脚ゴムは、低硬度低反発ゴム部材が略筒状の高硬度ゴム部材の底部を外包し、かつその底部の外周部より上方に略筒状の筒部をなすように一体に形成し、前記筒部により前記固定脚の胴部外面を外包したドラム式洗濯機。
【請求項４】
固定脚の胴部外面と、この胴部外面を外包する低硬度低反発ゴム部材の略筒状の筒部とを固定した請求項３記載のドラム式洗濯機。
【発明の詳細な説明】
【０００１】
【発明の属する技術分野】
本発明は、略水平方向の回転軸を中心に回転自在に配設したドラム内で洗濯物を洗濯、すすぎ、脱水するドラム式洗濯機に関するものである。
【０００２】
【従来の技術】
従来、この種のドラム式洗濯機は図７に示すように構成していた。以下、その構成について説明する。
【０００３】
図７に示すように、回転ドラム１は、外周部に多数の通水孔２を全面に設け、外槽３内に回転自在に配設している。回転ドラム１の回転中心に回転軸４の一端を略水平方向に固定し、回転軸４の他端に従動プーリー５を固定している。第１のモータ（駆動モータ）６は、回転ドラム１を第１の回転数Ｎ1（たとえば、５３ｒｐｍ）で回転させて、洗濯またはすすぎをするものであり、第２のモータ（駆動モータ）７は、回転ドラム１を第２の回転数Ｎ2（たとえば、１０００ｒｐｍ）で回転させて脱水する。
【０００４】
これら第１のモータ６および第２のモータ７は、それぞれベルト８、９を介して従動プーリー５に連結している。従動プーリー５は、２種の減速比を有しており、第１のモータ６をベルト８を介して減速比が大きい従動プーリー５ａと連結し、第２のモータ７をベルト９を介して減速比が小さい従動プーリー５ｂと連結している。
【０００５】
外槽３は、ボデー１０よりばね体１１で揺動可能に吊り下げ、防振ダンパー１２により脱水起動時の振動が低減され、定常脱水時の振動がボデー１０に伝達されにくいように防振支持するとともに、脱水時の振動を低減する重り１３を設けている。略筒状のパッキング部材１４は、回転ドラム１の前面開口部に対応する外槽３の開口部とボデー前面開口部との間を連結するものである。ボデー前面開口部に蓋１５を開閉自在に設けている。
【０００６】
外槽３の底部側にヒータ１６を設けて外槽３内の洗濯水を加熱し、さらに排水用の排水ホース１７の一端を接続し、排水ホース１７の他端を排水ポンプ１８に接続して、外槽３内の洗濯水を排水するようにしている。
【０００７】
給水弁１９は外槽３内に水を給水するものである。制御装置２０は、第１のモータ６、第２のモータ７、ヒータ１６、排水ポンプ１８、給水弁１９などの動作を制御し、洗濯、すすぎ、脱水などの一連の行程を逐次制御する。
【０００８】
ボデー１０の底部の四隅には、脚ユニット２１を設けている。脚ユニット２１は、図８に示すように、低硬度低反発ゴム部材２２ａが略筒状の高硬度ゴム部材２２ｂの底部を外包するように一体に形成した脚ゴム２２を、固定脚２３の略逆凹状部２３ａの下方より嵌着し、略逆凹状部２３ａの天面部および胴部の各内側面で、脚ゴム２２の天部および胴部の外周面を保持している。この脚ユニット２１は、略センターに設けた貫通穴にボルト２４を貫通させ、座金２５を介して、ボデー１０の底部内面側に設けたナット２６に、ボルト２４を締め付け固定している。
【０００９】
上記構成において動作を説明すると、蓋１５を開いて回転ドラム１内に洗濯物を投入し、電源スイッチ（図示せず）をオンした後、制御装置２０に設けたスタートスイッチ（図示せず）を操作して運転を開始すると、給水弁１９が動作して給水および洗剤投入を行い、水位検知手段（図示せず）により所定の水位を検知すると給水を停止し、第１の駆動モータ６を駆動する。洗濯行程では、洗濯物に水が含まれるため補給水しながら、回転ドラム１は第１の駆動モータ６によって第１の回転数Ｎ1で回転駆動され、回転ドラム１内の洗濯物は持ち上げられて水面上に落下される。
【００１０】
このとき、ヒータ１６に通電して外槽３内の洗濯水をほぼ一定の温度に制御しながら加熱する。洗濯行程が終了すると、排水ポンプ１８が動作して外槽３内の洗濯水を排水する。すすぎ行程においても洗濯行程と同様の動作を行う。
【００１１】
脱水行程では、回転ドラム１は第２の駆動モータ７によって第２の回転数Ｎ2で回転駆動され、洗濯物は遠心脱水される。このとき、回転ドラム１内の洗濯物の片寄り、すなわちアンバランスが生じると、回転ドラム１、外槽３などの揺動体は振動するが、脱水起動時は防振ダンパー１２により揺動体の振動を減衰し、定常脱水時は防振ダンパー１２の防振機構によりボデー１０に伝達されにくくはなっている。たとえ、仮に揺動体の振動がボデー１０に伝達されても、脚ユニット２１の脚ゴム２２の略筒状の高硬度ゴム部材２２ｂの底部を外包するように一体に形成した低硬度低反発ゴム部材２２ａにより、ボデー１０の振動を減衰させている。
【００１２】
【発明が解決しようとする課題】
このような従来の構成では、脚ユニット２１は、低硬度低反発ゴム部材２２ａが略筒状の高硬度ゴム部材２２ｂの底部を外包するように一体に形成した脚ゴム２２を、固定脚２３の略逆凹状部２３ａの下方より嵌着し、略逆凹状部２３ａの天面部および胴部の各内側面で、脚ゴム２２の天部および胴部の外周面を保持したものであるため、洗濯機本体を設置する際や運搬する際に、図９の矢印ａのように、洗濯機本体を引きずったり、洗濯機本体を斜めにし、脚を交互に移動させたりすると、矢印ｂのように、低硬度低反発ゴム部材２２ａが、略筒状の高硬度ゴム部材２２ｂからはがれてしまい、先端が脚の裏側にめりこんでしまい、洗濯機本体にがたつきが生じ、脱水時の振動が大きくなるといった問題を有していた。
【００１３】
本発明は上記従来の課題を解決するもので、洗濯機本体を設置する際や運搬する際に、洗濯機本体を引きずったり、洗濯機本体を斜めにし、脚を交互に移動させたりしても、低硬度低反発ゴム部材が略筒状の高硬度ゴム部材からはがれることはなく、洗濯機本体にがたつきが生じず、脱水時の振動が大きくなるのを防止することを目的としている。
【００１４】
【課題を解決するための手段】
本発明は上記目的を達成するために、略水平方向に回転軸を有する回転ドラムを外槽により外包し、洗濯時および脱水時に回転ドラムを駆動モータで回転し、外槽を主体とする揺動体をボデーに揺動可能に収容し、このボデーの底部に略逆凹状をなす固定脚を固着し、この固定脚に下方より脚ゴムを嵌着し、固定脚の天面部および胴部の各内側面で、脚ゴムの天部および胴部の外周面を保持するよう構成し、脚ゴムは、低硬度低反発ゴム部材が略筒状の高硬度ゴム部材の底部および胴部の外周面を外包するように一体に形成したものである。
【００１５】
これにより、洗濯機本体を設置する際や運搬する際に、洗濯機本体を引きずったり、洗濯機本体を斜めにし、脚を交互に移動させたりしても、低硬度低反発ゴム部材が、略筒状の高硬度ゴム部材からはがれることはなく、洗濯機本体にがたつきが生じないため、脱水時の振動が大きくなるといった問題を防止することができ、さらに構成が簡単であるため、組み立て作業性が悪くなるといった問題も防止することができる。
【００１６】
【発明の実施の形態】
本発明の請求項１に記載の発明は、略水平方向に回転軸を有する回転ドラムと、この回転ドラムを外包した外槽と、洗濯時および脱水時に前記回転ドラムを回転させる駆動モータと、前記外槽を主体とする揺動体を揺動可能に収容したボデーと、このボデーの底部に固着した略逆凹状をなす固定脚と、この固定脚に下方より嵌着し前記固定脚の天面部および胴部の各内側面で天部および胴部の外周面を保持した脚ゴムとを備え、前記脚ゴムは、低硬度低反発ゴム部材が略筒状の高硬度ゴム部材の底部および胴部の外周面を外包するように一体に形成したものであり、組立作業性、サービス性を悪化させることなく、洗濯機本体を設置する際や運搬する際に、洗濯機本体を引きずったり、洗濯機本体を斜めにし、脚を交互に移動させたりしても、低硬度低反発ゴム部材が略筒状の高硬度ゴム部材からはがれることはなく、洗濯機本体にがたつきが生じないため、脱水時の振動が大きくなるといった問題を防止することができる。
【００１７】
請求項２に記載の発明は、上記請求項１に記載の発明において、固定脚の胴部内側面には、脚ゴムの低硬度低反発ゴム部材と高硬度ゴム部材のいずれもが接したものであり、固定脚の胴部内側面と高硬度ゴム部材との嵌合で固定しているため、固定脚と脚ゴムの固定強度を低下させることがなく、組立作業性も悪化させることなく、脱水時の前後左右の横方向への振動が大きくなるといった問題を防止することができる。
【００１８】
請求項３に記載の発明は、略水平方向に回転軸を有する回転ドラムと、この回転ドラムを外包した外槽と、洗濯時および脱水時に前記回転ドラムを回転させる駆動モータと、前記外槽を主体とする揺動体を揺動可能に収容したボデーと、このボデーの底部に固着した略逆凹状をなす固定脚と、この固定脚に下方より嵌着し前記固定脚の天面部および胴部の各内側面で天部および胴部の外周面を保持した脚ゴムとを備え、前記脚ゴムは、低硬度低反発ゴム部材が略筒状の高硬度ゴム部材の底部を外包し、かつその底部の外周部より上方に略筒状の筒部をなすように一体に形成し、前記筒部により前記固定脚の胴部外面を外包したものであり、固定脚の胴部内側面と高硬度ゴム部材との嵌合で固定しているため、固定脚と脚ゴムの固定強度を低下させることがなく、さらに、洗濯機本体を設置する際や運搬する際に、洗濯機本体を引きずったり、洗濯機本体を斜めにし、脚を交互に移動させたりしても、低硬度低反発ゴム部材が、略筒状の高硬度ゴム部材からはがれることはなく、洗濯機本体にがたつきが生じないため、脱水時の振動が大きくなるといった問題を防止することができる。
【００１９】
請求項４に記載の発明は、上記請求項３に記載の発明において、固定脚の胴部外面と、この胴部外面を外包する低硬度低反発ゴム部材の略筒状の筒部とを固定したものであり、その略筒状の筒部の先端が変形し、口を開いた状態となることはなく、見苦しいことになることはない。
【００２０】
【実施例】
以下、本発明の実施例について、図面を参照しながら説明する。なお、従来例と同じ構成のものは同一符号を付して説明を省略する。
【００２１】
（実施例１）
図２に示すように、ボデー１０の底部の四隅には、脚ユニット２７を設けている。脚ユニット２７は、図１に示すように、低硬度低反発ゴム部材２８が略筒状の高硬度ゴム部材２９の底部２９ａおよび胴部２９ｂの外周面を外包するように一体に形成した脚ゴム３０と、略逆凹状部３１を有する固定脚３２からなり、脚ゴム３０は、固定脚３２に下方より嵌着している。
【００２２】
固定脚３２は、略逆凹状部３１の天面部３１ａおよび胴部３１ｂの各内側面で、脚ゴム３０の天部３０ａおよび胴部３０ｂの各外周面を保持している。固定脚３２の略逆凹状部３１と脚ゴム３０の高硬度ゴム部材２９の略センターには、それぞれ第１の貫通穴３３と第２の貫通穴３４を設けている。第１の貫通穴３３には、第１の段部３５を設けており、その第１の段部３５には座金３６を設けている。
【００２３】
第２の貫通穴３４には、第２の段部３７を設けている。ボルト３８は、座金３６に対応する第３の段部３９と、第２の段部３７に対応する第４の段部４０を有しており、第１の貫通穴３３と第２の貫通穴３４を貫通し、第３の段部３９で座金３６を介して、固定脚３２を、第４の段部４０で脚ゴム３０を押さえ、ボデー１０の底部内面側に設けたナット４１に締め付け、固定している。
【００２４】
このような構成にすると、設置業者や使用者が、洗濯機本体を設置する際や運搬する際に、図３の矢印ｃのように、洗濯機本体を引きずったり、洗濯機本体を斜めにし、脚を交互に移動させたりしても、低硬度低反発ゴム部材２８は変形するだけで、略筒状の高硬度ゴム部材２９からはがれてしまうことはなく、洗濯機本体にがたつきが生じないため、脱水時の振動が大きくなるといった問題を防止することができる。
【００２５】
（実施例２）
図４に示すように、脚ゴム４２は、低硬度低反発ゴム部材４３が略筒状の高硬度ゴム部材４４の底部４４ａおよび胴部外周面の下半分４４ｂを外包するように一体に形成しており、固定脚３２の略逆凹状部３１の胴部３１ｂの内側面には、脚ゴム４２の低硬度低反発ゴム部材４３と高硬度ゴム部材４４のいずれもが接して固定されている。他の構成は上記実施例１と同じである。
【００２６】
上記実施例１の構成では、固定脚３２の略逆凹状部３１の胴部３１ｂの内側面と低硬度低反発ゴム部材２８のみが嵌合しているため、固定脚３２と脚ゴム３０の固定力が弱くなり、前後左右の横方向への振動が大きくなる傾向にあった。そこで、本実施例では、上記問題を解決するものである。
【００２７】
このような構成にすると、固定脚３２と脚ゴム４２の固定が、固定脚３２の略逆凹状部３１の胴部３１ｂの内側面と高硬度ゴム部材４４との嵌合で行われているため、固定脚３２と脚ゴム４２の固定強度を低下させることがなく、組立作業性も悪化させることなく、脱水時の前後左右の横方向への振動が大きくなるといった問題を防止することができる。
【００２８】
（実施例３）
図５に示すように、脚ゴム４５は、低硬度低反発ゴム部材４６が略筒状の高硬度ゴム部材４７の底部を外包し、かつその底部の外周部より上方に略筒状の筒部４８を有するように一体に形成しており、略逆凹状部３１を有する固定脚３２に下方より嵌着している。固定脚３２は、略逆凹状部３１の天面部３１ａおよび胴部３１ｂの各内側面で、脚ゴム４５の高硬度ゴム部材４７の天部４７ａおよび胴部４７ｂの各外周面を保持している。低硬度低反発ゴム部材４６の略筒状の筒部４８は、固定脚３２の胴部外面４９を外包している。他の構成は上記実施例１と同じである。
【００２９】
このような構成にすると、固定脚３２の略逆凹状部３１の胴部内側面３１ｂと高硬度ゴム部材４７の胴部４７ｂとの嵌合で固定しているため、固定脚３２と脚ゴム４５の固定強度を低下させることがなく、脱水時の前後左右の横方向への振動が大きくなるといった問題を防止することができる。
【００３０】
さらに、洗濯機本体を設置する際や運搬する際に、洗濯機本体を引きずったり、洗濯機本体を斜めにし、脚を交互に移動させたりしても、低硬度低反発ゴム部材４６の略筒状の筒部４８の先端が脚の裏側にめりこんでしまうこともないため、略筒状の高硬度ゴム部材からはがれることはなく、洗濯機本体にがたつきが生じず、脱水時の振動が大きくなるといった問題を防止することができる。
【００３１】
（実施例４）
図６に示すように、バンド５０は、固定脚３２の胴部外面４９を外包する低硬度低反発ゴム部材４６の略筒状の筒部４８の外側より、締め付けており、固定脚３２の胴部外面４９と低硬度低反発ゴム部材４６の略筒状の筒部４８とを固定している。他の構成は上記実施例３と同じである。
【００３２】
上記実施例３の構成では、低硬度低反発ゴム部材４６の略筒状の筒部４８は、固定脚３２の胴部外面４９を外包しているだけであるので、洗濯機本体を設置する際や運搬する際に、洗濯機本体を引きずったり、洗濯機本体を斜めにし、脚を交互に移動させたりすると、略筒状の筒部４８の先端が変形し、口を開いた状態となり、見苦しいことになることがあった。そこで、本実施例では、上記問題を解決するものである。
【００３３】
このような構成にすると、洗濯機本体を設置する際や運搬する際に、洗濯機本体を引きずったり、洗濯機本体を斜めにし、脚を交互に移動させたりしても、略筒状の筒部４８の先端が変形し、口を開いた状態となることはなく、見苦しいことになることはない。
【００３４】
なお、本実施例では、固定脚３２の胴部外面４９と低硬度低反発ゴム部材４６の略筒状の筒部４８との固定にバンド５０を用いているが、接着剤等で固定しても同等の効果が得られることはいうまでもない。
【００３５】
【発明の効果】
以上のように本発明の請求項１に記載の発明によれば、略水平方向に回転軸を有する回転ドラムと、この回転ドラムを外包した外槽と、洗濯時および脱水時に前記回転ドラムを回転させる駆動モータと、前記外槽を主体とする揺動体を揺動可能に収容したボデーと、このボデーの底部に固着した略逆凹状をなす固定脚と、この固定脚に下方より嵌着し前記固定脚の天面部および胴部の各内側面で天部および胴部の外周面を保持した脚ゴムとを備え、前記脚ゴムは、低硬度低反発ゴム部材が略筒状の高硬度ゴム部材の底部および胴部の外周面を外包するように一体に形成したから、組立作業性、サービス性を悪化させることなく、洗濯機本体を設置する際や運搬する際に、洗濯機本体を引きずったり、洗濯機本体を斜めにし、脚を交互に移動させたりしても、低硬度低反発ゴム部材が略筒状の高硬度ゴム部材からはがれることはなく、洗濯機本体にがたつきが生じないため、脱水時の振動が大きくなるといった問題を防止することができる。
【００３６】
また、請求項２に記載の発明によれば、固定脚の胴部内側面には、脚ゴムの低硬度低反発ゴム部材と高硬度ゴム部材のいずれもが接したから、固定脚の胴部内側面と高硬度ゴム部材との嵌合で固定しているため、固定脚と脚ゴムの固定強度を低下させることがなく、組立作業性も悪化させることなく、脱水時の前後左右の横方向への振動が大きくなるといった問題を防止することができる。
【００３７】
また、請求項３に記載の発明によれば、略水平方向に回転軸を有する回転ドラムと、この回転ドラムを外包した外槽と、洗濯時および脱水時に前記回転ドラムを回転させる駆動モータと、前記外槽を主体とする揺動体を揺動可能に収容したボデーと、このボデーの底部に固着した略逆凹状をなす固定脚と、この固定脚に下方より嵌着し前記固定脚の天面部および胴部の各内側面で天部および胴部の外周面を保持した脚ゴムとを備え、前記脚ゴムは、低硬度低反発ゴム部材が略筒状の高硬度ゴム部材の底部を外包し、かつその底部の外周部より上方に略筒状の筒部をなすように一体に形成し、前記筒部により前記固定脚の胴部外面を外包したから、固定脚の胴部内側面と高硬度ゴム部材との嵌合で固定しているため、固定脚と脚ゴムの固定強度を低下させることがなく、さらに、洗濯機本体を設置する際や運搬する際に、洗濯機本体を引きずったり、洗濯機本体を斜めにし、脚を交互に移動させたりしても、低硬度低反発ゴム部材が、略筒状の高硬度ゴム部材からはがれることはなく、洗濯機本体にがたつきが生じないため、脱水時の振動が大きくなるといった問題を防止することができる。
【００３８】
また、請求項４に記載の発明によれば、固定脚の胴部外面と、この胴部外面を外包する低硬度低反発ゴム部材の略筒状の筒部とを固定したから、その略筒状の筒部の先端が変形し、口を開いた状態となることはなく、見苦しいことになることはない。
【図面の簡単な説明】
【図１】本発明の第１の実施例のドラム式洗濯機の要部断面図
【図２】同ドラム式洗濯機の断面図
【図３】同ドラム式洗濯機の移動時の要部断面図
【図４】本発明の第２の実施例のドラム式洗濯機の要部断面図
【図５】本発明の第３の実施例のドラム式洗濯機の要部断面図
【図６】本発明の第４の実施例のドラム式洗濯機の要部断面図
【図７】従来のドラム式洗濯機の断面図
【図８】同ドラム式洗濯機の要部拡大断面図
【図９】同ドラム式洗濯機の移動時の要部拡大断面図
【符号の説明】
１  回転ドラム
３  外槽
４  回転軸
６  第１のモータ（駆動モータ）
７  第２のモータ（駆動モータ）
１０  ボデー
２８  低硬度低反発ゴム部材
２９  高硬度ゴム部材
２９ａ  底部
２９ｂ  胴部
３０  脚ゴム
３０ａ  天部
３０ｂ  胴部
３１ａ  天面部
３１ｂ  胴部
３２  固定脚
【図１】
0003743146.tif 000002
【図２】
0003743146.tif 000003
【図３】
0003743146.tif 000004
【図４】
0003743146.tif 000005
【図５】
0003743146.tif 000006
【図６】
0003743146.tif 000007
【図７】
0003743146.tif 000008
【図８】
0003743146.tif 000009
【図９】
0003743146.tif 000010